(57)【要約】【課題】  整流カバーに開口部を設け、整流カバー内の機器の性能を維持するために必要な分だけの気流を整流カバー内に取り込み、かつ、乗りかごへの振動及び騒音を抑制することが可能なエレベーター装置を提供する。【解決手段】  本発明に係るエレベーター装置は、かご室と、巻上機と、釣合おもりと、前記巻上機に巻きかけられ、前記かご室と前記釣合おもりとを連結する主ロープと、を備えたエレベーター装置において、前記かご室の上部には、整流部が設置され、前記整流部は、平板部と、傾斜部と、を有し、前記傾斜部には、開口部が設けられ、前記開口部には、前記整流部の内部に流入する気流の量を制限する気流調整部材が設けられていることを特徴とする。【選択図】図３
2016056004.tif 000002
【特許請求の範囲】
【請求項１】
かご室と、巻上機と、釣合おもりと、前記巻上機に巻きかけられ、前記かご室と前記釣合おもりとを連結する主ロープと、を備えたエレベーター装置において、
前記かご室の上部には、整流部が設置され、
前記整流部は、平板部と、傾斜部と、を有し、
前記傾斜部には、開口部が設けられ、
前記開口部には、前記整流部の内部に流入する気流の量を制限する気流調整部材が設けられていることを特徴とするエレベーター装置。
【請求項２】
前記気流調整部材は、前記開口部の上端から前記昇降路の斜め下方に向かって傾斜する板状部材であることを特徴とする請求項１記載のエレベーター装置。
【請求項３】
前記気流調整部材は、前記開口部の上端から前記昇降路の斜め下方に向かって、上方に向かって凸を描きながら傾斜する部材であることを特徴とする請求項１記載のエレベーター装置。
【請求項４】
前記気流調整部材は、複数の板状部材で構成された鎧戸であることを特徴とする請求項１記載のエレベーター装置。
【請求項５】
さらに、前記鎧戸の開閉を制御する制御装置を有することを特徴とする請求項４記載のエレベーター装置。
【請求項６】
前記気流調整部材は、前記開口部の全面を覆う板状部材と、前記開口部の上端で前記傾斜部に対して前記板状部材を回転可能に接続するヒンジと、前記板状部材を回転させる開閉装置と、前記開閉装置を制御する制御装置と、を有することを特徴とする請求項１記載のエレベーター装置。
【請求項７】
前記開閉装置は、ボールねじ及び前記ボールねじを駆動する駆動装置からなることを特徴とする請求項６記載のエレベーター装置。
【請求項８】
前記制御装置は、前記かご室の上昇時に前記開口部を閉じ、前記かご室の下降時に前記開口部を開くように前記気流調整部材の開閉を制御することを特徴とする請求項５乃至７のいずれか１項に記載のエレベーター装置。
【発明の詳細な説明】
【技術分野】
【０００１】
本発明は、エレベーター装置に関し、特に乗りかごに整流部（整流カバー）を備えたエレベーター装置に関する。
【背景技術】
【０００２】
一般に、ロープに接続されたかご及び釣合おもりが昇降路内で垂下されて構成されるエレベーター装置において、かごが昇降路内を走行する際、昇降路内に生じる気流によって、かご内で騒音や振動（揺れ）が発生する場合がある。特に、近年は昇降の高速化が進んでいることもあり、この騒音や振動の問題が顕著になっている。
【０００３】
エレベーターにおいて、その昇降路の限られた断面寸法の中で、乗りかごが走行する際に、乗りかごに走行振動及び騒音が発生することは公知である。その走行振動と騒音を低減するために、高速エレベーターの乗りかごには、その上下に整流構造を有するカバー（以下、整風カバー又は整流カバーとも称する）が設置されているものがある。この整流カバーは、昇降路内に発生する風（気流）の乱れ及び渦流を低減することを目的として流線型の構成としており、昇降路内の気流の乱れを抑えて整流し（整流を維持する構成とし）、乗りかごへの振動及び騒音を低減することができる。
【０００４】
整風カバーを設けた乗りかごを有するエレベーター装置として、特許文献１がある。特許文献１には、整風カバーの開口に平板部を形成して、風が整風カバーの内側（内部）に向かって引退する構成の流入部と流出部を設けた整風カバーを有するエレベーターのかご装置が開示されている。特許文献１によれば、整風カバー内に気流を取り込むことで、昇降路内面とかごの出入口の間へ流入する空気量を少なくし、かごの戸と出入り口との隙間からかご室へ伝わる騒音を防止することができるとされている。
【先行技術文献】
【特許文献】
【０００５】
【特許文献１】特開２００１‐１９３２１号公報
【発明の概要】
【発明が解決しようとする課題】
【０００６】
エレベーターの乗りかごの上部には、空調装置、気圧調整装置、位置検出器及び制御用部品等の設備部品を設置する必要がある。このため、整風カバーを乗りかごに設ける場合、整風カバーの内部に上記設備部品を設置する。設備部品の１つである位置検出器は、昇降路に設けられた機器との間で情報を授受することと、上記設備部品の過度な温度上昇を防ぐ（機器の設置環境条件を守る）ために、整風カバーには開口部を設ける必要がある。しかしながら、整風カバーに開口部を設ける場合、該開口部から風が流入することにより、かご室への騒音及び振動増大に繋がる問題があった。
【０００７】
上記特許文献１の整風カバーの構造では、昇降路内面とかごの出入口の間へ流入する空気量を低減することはできても、整風カバー内に流入した気流が、整風カバー内に配置された電気部品、空調装置及びかご枠構造品等の凹凸部にあたって、気流の乱れが発生して、乗りかごへの騒音及び振動増大に繋がる問題があった。すなわち、特許文献１においては、整風カバー内に空気が流入することによって生じる振動及び騒音については、何ら対策が講じられていなかった。
【０００８】
本発明は、上記事情に鑑み、整流カバーに開口部を設け、整流カバー内の機器の性能（環境性能）を維持するために必要な分だけの気流を整流カバー内に取り込み、かつ、乗りかごへの振動及び騒音を抑制することが可能なエレベーター装置を提供することにある。
【課題を解決するための手段】
【０００９】
本発明に係るエレベーター装置は、上記目的を達成するため、かご室と、巻上機と、釣合おもりと、巻上機に巻きかけられ、かご室と釣合おもりとを連結する主ロープと、を備えたエレベーター装置において、かご室の上部には、整流部が設置され、整流部は、平板部と、傾斜部と、を有し、傾斜部には、開口部が設けられ、開口部には、整流部の内部に流入する気流の量を制限する気流調整部材が設けられていることを特徴とするエレベーター装置を提供する。
【発明の効果】
【００１０】
本発明によれば、整流カバーに開口部を設け、整流カバー内の機器の性能を維持するために必要な分だけの気流を取り込み、かつ、機器の性能を阻害する気流の流れ込みを防ぐことができ、乗りかごへの振動及び騒音を抑制することが可能なエレベーター装置を提供することができる。
【図面の簡単な説明】
【００１１】
【図１】本発明に係るエレベーター装置の一例を示す模式図である。
【図２】図１のかご室１及びかご枠３１を模式的に示す斜視図である。
【図３】本発明に係る第１の実施形態を模式的に示す側面図（図３の矢印方向から見た図）である。
【図４】本発明に係る第１の実施形態（開口部及び気流調整部材）を模式的に示す斜視図である。
【図５】本発明に係る第２の実施形態（整流カバー）を模式的に示す斜視図である。
【図６】本発明に係る第３の実施形態（整流カバー）を模式的に示す斜視図である。
【図７】本発明に係る第３の実施形態（整流カバー）を模式的に示す側面図である。
【図８】本発明に係る第３の実施形態（整流カバー）を模式的に示す側面図である。
【図９】本発明に係る第４の実施形態（開口部及び気流調整部材）を模式的に示す側面図である。
【発明を実施するための形態】
【００１２】
以下、本発明に係るエレベーター装置の実施形態を図面に基づいて説明する。ただし、本発明はここで取り上げた実施の形態に限定されるものではなく、発明の要旨を変更しない範囲において変更又は改良を加えることが可能である。
【実施例１】
【００１３】
図１は本発明に係るエレベーター装置の一例を示す模式図である。図１に示すように、エレベーター装置１００は、乗客を安全に乗せるかご室１と、かご室１を支持するかご枠３１と、巻上機３４と、釣合おもり３３と、巻上機３４に巻きかけられ、かご室１と釣合おもり３３とを連結する主ロープ３０とで構成される。図１には図示しないが、昇降路２にはさらに乗りかご１を案内するためのガイドレールが設けられ、かご枠３１に設けられたガイドローラ（後述する図３を参照）を介して、主ロープ３０の昇降によって、かご枠３１とかご室１がともにガイドレールに沿って昇降路２内を昇降する。乗りかごの上部及び下部のそれぞれに、整流カバー１０及び１１を設けている。
【００１４】
図２は、図１のかご室１及びかご枠３１を模式的に示す斜視図である。図２に示すように、かご枠３１は、垂直な昇降路２に対して水平な一対の上梁３及び一対の下梁４と、これら上梁３及び下梁４の両端部同士を連結する左右一対のたて枠５とを口字状に組んで構成される。下梁４の上に床枠６（後述する図３参照）及び防振体８（後述する図３参照）をこの順で設置し、防振体８の上にかご床９（かご室１の床）９を載置している。床枠６とかご床９との間に防振体８を設けることにより、床枠６（かご枠３１）からかご床９への振動が絶縁されている。
【００１５】
かご室１は、かご床９と、天井４２と、前壁４０と、後壁４３と、一対の側壁４４とを有し、前壁４０に出入り口（ドア）４１を有する。
【００１６】
図３は、本発明に係る第１の実施形態を模式的に示す側面図（図３の矢印方向から見た図で、主にかご室１、整流カバー１０、１１及びその周辺の構造）である。図３に示すように、かご室１の上部には、天井４２と対向して、出入口部機器及びかご上の装置品（空調装置１２及び制御用部品１３等）を配置するための取付台７を設置している。取付台７は、かご枠３１（たて枠５）に固定されている。
【００１７】
また、取付台７には、取付台７の全面を覆うように、風力外乱を低減できる整流部（整流カバー１０）が設置され、エレベーター走行時にかご室１とかご枠３１の廻りに発生する風の流れ（気流）１６を滑らかにして、その風の乱れに伴って発生するかご室１への走行騒音及び振動を小さくしている。整流カバー１０は、取付台７の端部に立設された平板部５１と、取付台７を覆うように取付台７と平板部５１に固定された傾斜部５２とを有する。
【００１８】
整流カバー１０内に収める機器類には、かご室１の位置を検出する位置検出器も含まれる。位置検出器は、昇降路の壁面に設けられた機器との間で信号の授受を行う必要がある。また、整流カバー１０内に収められた機器の温度上昇を防ぎ、機器の設置環境を守るために、整流カバー１０には、昇降路２から気流を取り込むための開口部１５が設けられる。本実施形態では、整流カバー１０の傾斜部５２において、乗りかご１の後壁４３側に開口部１５が設けられる。そして、開口部１５には、整流カバー１０の内部に流入する気流の量を制限する気流調整部材１７が設けられている。
【００１９】
図４は、第１の実施形態（開口部及び気流調整部材）を模式的に示す斜視図である。図４に示すように、本実施形態では、気流流調整部材１７ａは、開口部１５ａの上端から昇降路２の斜め下方に向かって傾斜する板状部材（庇板）で構成される。この板状部材１７ａは、斜め上方に向かって凸をなすような形状（流線型）であることが好ましい。開口部１５に、このような形状の板状部材１７ａを設けることで、乗りかご（かご室１）の上昇時に昇降路内に発生する気流の流れ１６を滑らかにして、整流カバー１０の内部に流入する気流を低減することができる。この結果、上昇時のかご室１への騒音及び振動を小さくすることができる。
【００２０】
一方、乗りかご（かご室１）の下降時には、気流１６の向きが逆（図３の下方から上方へ向かう方向）になり、整流カバー１０内に気流１６を取り込み、整流カバー１０内に設置した空調装置１２及び制御用部品１３等の温度上昇を抑えることができる特徴がある。
【００２１】
近年の高速エレベーター装置では、かごが上昇する定格速度を、下降する定格速度よりも速くなるように設定していることが多い。例えば上昇する定格速度は１０００ｍ／分に設定され、一方で下降する定格速度は５００ｍ／分程度に設定される。このような場合には、乗りかごが上昇するときに発生する騒音や振動を低減する必要があるが、下降するときの速度は比較的小さいため、上昇するときに比べて、騒音低減の必要性が小さい。
【００２２】
上述したように、上記傾斜板１７ａは、上昇する方向に対して流線型をなしているが、その一方で、下降する方向に対しては、整流カバー１０内に気流１６の流れを取り込みやすい形状をなしており、整流カバー１０内に設置した空調装置１２及び制御用部品１３等の温度上昇を抑えることができる特徴がある。したがって、整流カバー１０の開口部１５ａに傾斜板１７ａを設けることで、かご室１の上昇時には、整流カバー１０への気流の流入量を低減し、かご室１への振動及び騒音を抑制し、かつ、かご室１の下降時には、整流カバー１０内に設置された機器の性能を維持するために必要な分だけの気流を取り込むことが可能となる。
【００２３】
また、上記傾斜板１７ａは、整流カバー１０（傾斜部５２）に開口部１５ａを設け、該開口の上端（傾斜部５２の一部）を斜め上方に向かって凸にするよう曲げ加工することで製造できるため、傾斜部５２と一体にして設けることができ、容易に加工製造できる特徴がある。
【実施例２】
【００２４】
図５は、本発明に係る第２の実施形態（整流カバー）を模式的に示す斜視図である。図５は、図１に示した開口部１５を、かご室１の側壁４４側に設置した実施形態を示す。一般的に、かご室の側壁側には、位置検出装置を設置することがある。その場合においても、上記したように、開口部１５ｂの上端に傾斜板１７ｂを設けることで、整流カバー１０内に設置された機器の性能を維持するために必要な分だけの気流を取り込み、かつ、乗りかごへの振動及び騒音を抑制することが可能となる。また、かご室の側壁側は、前壁側に対して気流の流れが小さく、気流を乱さないで整流カバー１０の騒音低減の効果を得られる。開口部及び気流調整部材は、複数設けられていても良い（１５ｂ，ｃ及び１７ｂ，ｃ）。また、第１の実施形態に係る開口部１５ａ及び気流調整部材１７ａ（かご室１の後壁４３側）と、本実施形態の開口部１５ｂ，ｃ及び気流調整部材１７ｂ，ｃ（かご室１の側壁４４側）とを組み合わせたものであってもよい。
【実施例３】
【００２５】
図６は、本発明に係る第３の実施形態（整流カバー）を模式的に示す斜視図であり、図７及び８は本発明に係る第３の実施形態（整流カバー）を模式的に示す側面図である。図６〜８は以下の同じ形状の気流調整部材を有するものであるが、図６は傾斜部５２に設けられる開口部及び気流調整部材を、かご室１の側壁４４側に設けた態様を示し、図７及び８は気流調整部材をかご室１の後壁４３側に設けた態様を示している。
【００２６】
図６〜８に示すように、本実施形態に係る気流調整部材は、複数の板状部材で形成された鎧戸とし、鎧戸を自動で開閉する制御装置７０を備えている。このような構成とすることで、かご室１が上昇する際には、図７に示すように開口部を閉じ、整流カバー全体の整流構造を維持するが、下降時には、図８に示すように開口部を開いて気流を取り込む構成としてもよい。また、板状部材の傾斜の角度を調整することによって、開口の大きさを変化させることができる。
【実施例４】
【００２７】
図９は、本発明に係る第４の実施形態（開口部及び気流調整部材）を模式的に示す側面図である。図９に示すように、本実施形態に係る気流調整部材は、開口部１５全面を覆う板状部材９１と、開口部１５の上端で整流カバーの傾斜部５２と板状部材９１とを接続するヒンジ９２と、板状部材９１を回転させる開閉装置９５と、開閉装置９５を制御する制御装置９６とを有する。開閉装置９５は、ボールねじ９３とボールねじ９３を駆動する駆動装置９４からなる。
【００２８】
図９は、図４に示した傾斜板１７ａを上下方向に大きくして、自動で開閉できるようにした一実施例である。整流カバー１０に開口部１５を設けて、その上部でヒンジ９２で接続された板状部材９１の下部にて、板状部材９１は制御装置９６と結線された駆動装置９４とボールねじ９３で接続されていて、板状部材９１を自動で開閉できるようにしている。本実施形態によれば、第３の実施形態と同様に、かご室１の上昇時には開口部１５を閉じ、整流カバー１０全体の整流構造を維持するが、下降時には開口部１５を開いて気流を取り込むことで、整流カバー１０内に気流を取り込み、整流カバー１０内の温度上昇を抑制する効果がある。
【００２９】
以上説明したように、本発明によれば、整流カバーに開口部を設け、整流カバー内の機器の性能を維持するために必要な分だけの気流を取り込み、かつ、乗りかごへの振動及び騒音を抑制することが可能なエレベーター装置を提供することができることが示された。
【００３０】
なお、上記した実施例は、本発明の理解を助けるために具体的に説明したものであり、本発明は、説明した全ての構成を備えることに限定されるものではない。例えば、ある実施例の構成の一部を他の実施例の構成に置き換えることが可能であり、また、ある実施例の構成に他の実施例の構成を加えることも可能である。さらに、各実施例の構成の一部について、削除・他の構成に置換・他の構成の追加をすることが可能である。
【符号の説明】
【００３１】
１…かご室、２…昇降路、３…上梁、４…下梁、５…たて枠、６…床枠、７…取付台、８…防振体、９…かご床、１０…整流材（上部整流カバー）、１１…整流材（下部整流カバー）、１２…空調装置、１３…制御用部品、１４…ローラガイド、１５ａ，ｂ，ｃ，ｄ…開口部、１６…気流、１７ａ，ｂ，ｃ，ｄ…気流調整材、３０…主ロープ、３１…かご枠、３３…つり合いおもり、３４…巻上機、４０…かご室の前壁、４１…出入り口、４２…かご室の天井、４３…かご室の後壁、４４…かご室の側壁、５１…平板部、５２…傾斜部、７０，９６…制御装置、９１…板状部材、９２…ヒンジ、９３…ボールねじ、９４…駆動装置、９５…開閉装置、１００…エレベーター装置。
【図１】
2016056004.tif 000003
【図２】
2016056004.tif 000004
【図３】
2016056004.tif 000005
【図４】
2016056004.tif 000006
【図５】
2016056004.tif 000007
【図６】
2016056004.tif 000008
【図７】
2016056004.tif 000009
【図８】
2016056004.tif 000010
【図９】
2016056004.tif 000011